(57)【要約】【課題】  著作権料を利用者から確実に徴収しつつ、利用者が適正な著作権料を支払って、複写を行ったことを証明できるようにする。【解決手段】  画像形成装置は、著作権保護情報が含まれていると判別された場合に、著作権保護情報から著作物を識別するための識別情報を抽出する識別情報抽出手段と、著作権管理サーバに前記識別情報抽出手段で抽出した識別情報を送信して、著作権料情報の送信をサーバに要求する要求手段と、前記要求に応じたサーバから受信した著作権料情報を表示して、ユーザに著作権料を請求する請求手段と、ユーザが著作権料の請求に応じたと判別された場合に、記憶した画像データ中に著作権料を支払済であることを証明する支払済情報を付加する付加手段とを有する。【選択図】  図１
2006166334.tif 000002
【特許請求の範囲】
【請求項１】
ネットワークに接続された画像形成装置および著作権管理サーバとで構成された著作物の複写システムであって、前記画像形成装置は、原稿から画像データを読み取る画像読取手段と、前記画像読取手段で読み取った画像データを記憶する記憶手段と、前記画像データに著作権保護情報が含まれているか否かを判別する第１の判別手段と、前記第１の判別手段で著作権保護情報が含まれていると判別された場合に、著作権保護情報から著作物を識別するための識別情報を抽出する識別情報抽出手段と、著作権管理サーバに前記識別情報抽出手段で抽出した識別情報を送信して、著作権料情報の送信をサーバに要求する要求手段と、前記要求に応じたサーバから受信した著作権料情報を表示して、ユーザに著作権料を請求する請求手段と、ユーザが著作権料の請求に応じたか否かを判別する第２の判別手段と、前記第２の判別手段でユーザが著作権料の請求に応じたと判別された場合に、前記記憶手段に記憶した画像データ中に著作権料を支払済であることを証明する支払済情報を付加する付加手段と、前記付加手段で支払済情報が付加された画像データを記録紙に印刷する印刷手段と、を有することを特徴とする著作物の複写システム。
【請求項２】
著作権管理サーバとネットワークを介して接続された画像形成装置であって、原稿から画像データを読み取る画像読取手段と、前記画像読取手段で読み取った画像データを記憶する記憶手段と、前記画像データに著作権保護情報が含まれているか否かを判別する第１の判別手段と、前記第１の判別手段で著作権保護情報が含まれていると判別された場合に、著作権保護情報から著作物を識別するための識別情報を抽出する識別情報抽出手段と、著作権管理サーバに前記識別情報抽出手段で抽出した識別情報を送信して、著作権料情報の送信をサーバに要求する要求手段と、前記要求に応じたサーバから受信した著作権料情報を表示して、ユーザに著作権料を請求する請求手段と、ユーザが著作権料の請求に応じたか否かを判別する第２の判別手段と、前記第２の判別手段でユーザが著作権料の請求に応じたと判別された場合に、前記記憶手段に記憶した画像データ中に著作権料を支払済であることを証明する支払済情報を付加する付加手段と、前記付加手段で支払済情報が付加された画像データを記録紙に印刷する印刷手段と、を有することを特徴とする画像形成装置。
【請求項３】
原稿から画像データを読み取る工程と、読み取った画像データを記憶する工程と、前記画像データに著作権保護情報が含まれているか否かを判別する工程と、著作権保護情報が含まれていると判別された場合に、著作権保護情報から著作物を識別するための識別情報を抽出する工程と、著作権管理サーバに抽出した識別情報を送信して、著作権料情報の送信をサーバに要求する工程と、前記要求に応じたサーバから受信した著作権料情報を表示して、ユーザに著作権料を請求する工程と、ユーザが著作権料の請求に応じたか否かを判別する工程と、ユーザが著作権料の請求に応じたと判別された場合に、記憶した画像データ中に著作権料を支払済であることを証明する支払済情報を付加する工程と、支払済情報が付加された画像データを記録紙に印刷する工程と、を有することを特徴とする画像形成方法。
【請求項４】
著作権管理サーバとネットワークを介して接続された画像形成装置を制御するためのコンピュータ読み取り可能な制御プログラムであって、原稿から画像データを読み取る工程と、読み取った画像データを記憶する工程と、前記画像データに著作権保護情報が含まれているか否かを判別する工程と、著作権保護情報が含まれていると判別された場合に、著作権保護情報から著作物を識別するための識別情報を抽出する工程と、著作権管理サーバに抽出した識別情報を送信して、著作権料情報の送信をサーバに要求する工程と、前記要求に応じたサーバから受信した著作権料情報を表示して、ユーザに著作権料を請求する工程と、ユーザが著作権料の請求に応じたか否かを判別する工程と、ユーザが著作権料の請求に応じたと判別された場合に、記憶した画像データ中に著作権料を支払済であることを証明する支払済情報を付加する工程と、支払済情報が付加された画像データを記録紙に印刷する工程と、をコンピュータに実行させるためのプログラムコードから成ることを特徴とする画像形成装置の制御プログラム。
【請求項５】
請求項４記載の制御プログラムを格納したことを特徴とする記憶媒体。
【発明の詳細な説明】
【技術分野】
【０００１】
本発明は、画像形成装置で著作権保護情報を含む原稿を印刷する著作物の複写システム、画像形成装置、画像形成方法、画像形成装置の制御プログラムおよび記憶媒体に関するものである。
【背景技術】
【０００２】
近年、音楽データ等のデジタルコンテンツがファイル交換ソフトを用いて、ネットワークを介して利用者間で送受信されており、著作物の違法コピーが問題視されている。このため、原稿の複写物を生成する複写機に対しても、著作物の違法コピーを防止するための技術がある（例えば、特許文献１）。一方、著作権者は、著作物をより多くの人に配布し、著作権料を利用者から確実に徴収できるシステムを希望している。
【０００３】
従来、著作物の違法コピーを防止すると共に、著作権料を利用者から徴収する複写システムにおいては、原稿に著作物であることを示す識別情報を透かし情報として埋め込み、複写機で複写が行われるプロセスでこの識別情報を検出した場合に、サーバに料金情報を問い合わせるなどの方法が採られていた。
【０００４】
例えば、著作権料を利用者から徴収する技術として、読み取られた画像データに埋め込まれた透かし情報に含まれる著作権料に基づき、その著作権料を液晶表示部に通常の複写料金と共に表示して料金を徴収している。
【特許文献１】特開2000-165575号公報
【発明の開示】
【発明が解決しようとする課題】
【０００５】
しかしながら、上記従来技術では、著作権者は利用者から確実に著作権料を徴収可能であるが、利用者は適正な著作権料を支払った事実を他者に証明できないという問題点があった。
【０００６】
本発明は、上記に鑑みてなされたものであって、著作権料を利用者から確実に徴収しつつ、利用者が適正な著作権料を支払って、複写を行ったことを証明できる著作物の複写システム、画像形成装置、画像形成方法、画像形成装置の制御プログラムおよび記憶媒体を提供することを目的とする。
【課題を解決するための手段】
【０００７】
上記の目的を達成するために、請求項１記載の発明は、ネットワークに接続された画像形成装置および著作権管理サーバとで構成された著作物の複写システムであって、前記画像形成装置は、原稿から画像データを読み取る画像読取手段と、前記画像読取手段で読み取った画像データを記憶する記憶手段と、前記画像データに著作権保護情報が含まれているか否かを判別する第１の判別手段と、前記第１の判別手段で著作権保護情報が含まれていると判別された場合に、著作権保護情報から著作物を識別するための識別情報を抽出する識別情報抽出手段と、著作権管理サーバに前記識別情報抽出手段で抽出した識別情報を送信して、著作権料情報の送信をサーバに要求する要求手段と、前記要求に応じたサーバから受信した著作権料情報を表示して、ユーザに著作権料を請求する請求手段と、ユーザが著作権料の請求に応じたか否かを判別する第２の判別手段と、前記第２の判別手段でユーザが著作権料の請求に応じたと判別された場合に、前記記憶手段に記憶した画像データ中に著作権料を支払済であることを証明する支払済情報を付加する付加手段と、前記付加手段で支払済情報が付加された画像データを記録紙に印刷する印刷手段と、を有するものである。
【０００８】
また、請求項２記載の発明は、著作権管理サーバとネットワークを介して接続された画像形成装置であって、原稿から画像データを読み取る画像読取手段と、前記画像読取手段で読み取った画像データを記憶する記憶手段と、前記画像データに著作権保護情報が含まれているか否かを判別する第１の判別手段と、前記第１の判別手段で著作権保護情報が含まれていると判別された場合に、著作権保護情報から著作物を識別するための識別情報を抽出する識別情報抽出手段と、著作権管理サーバに前記識別情報抽出手段で抽出した識別情報を送信して、著作権料情報の送信をサーバに要求する要求手段と、前記要求に応じたサーバから受信した著作権料情報を表示して、ユーザに著作権料を請求する請求手段と、ユーザが著作権料の請求に応じたか否かを判別する第２の判別手段と、前記第２の判別手段でユーザが著作権料の請求に応じたと判別された場合に、前記記憶手段に記憶した画像データ中に著作権料を支払済であることを証明する支払済情報を付加する付加手段と、前記付加手段で支払済情報が付加された画像データを記録紙に印刷する印刷手段と、を有するものである。
【０００９】
また、請求項３記載の発明は、原稿から画像データを読み取る工程と、読み取った画像データを記憶する工程と、前記画像データに著作権保護情報が含まれているか否かを判別する工程と、著作権保護情報が含まれていると判別された場合に、著作権保護情報から著作物を識別するための識別情報を抽出する工程と、著作権管理サーバに抽出した識別情報を送信して、著作権料情報の送信をサーバに要求する工程と、前記要求に応じたサーバから受信した著作権料情報を表示して、ユーザに著作権料を請求する工程と、ユーザが著作権料の請求に応じたか否かを判別する工程と、ユーザが著作権料の請求に応じたと判別された場合に、記憶した画像データ中に著作権料を支払済であることを証明する支払済情報を付加する工程と、支払済情報が付加された画像データを記録紙に印刷する工程と、を有するものである。
【００１０】
また、請求項４記載の発明は、著作権管理サーバとネットワークを介して接続された画像形成装置を制御するためのコンピュータ読み取り可能な制御プログラムであって、原稿から画像データを読み取る工程と、読み取った画像データを記憶する工程と、前記画像データに著作権保護情報が含まれているか否かを判別する工程と、著作権保護情報が含まれていると判別された場合に、著作権保護情報から著作物を識別するための識別情報を抽出する工程と、著作権管理サーバに抽出した識別情報を送信して、著作権料情報の送信をサーバに要求する工程と、前記要求に応じたサーバから受信した著作権料情報を表示して、ユーザに著作権料を請求する工程と、ユーザが著作権料の請求に応じたか否かを判別する工程と、ユーザが著作権料の請求に応じたと判別された場合に、記憶した画像データ中に著作権料を支払済であることを証明する支払済情報を付加する工程と、支払済情報が付加された画像データを記録紙に印刷する工程と、をコンピュータに実行させるためのプログラムコードから成るものである。
【００１１】
また、請求項５記載の発明は、請求項４記載の発明において、記憶媒体に前記制御プログラムを格納するものである。
【発明の効果】
【００１２】
以上説明したように、請求項１にかかる著作物の複写システムによれば、画像形成装置では、原稿から画像データを読み取り、読み取った画像データを記憶し、画像データに著作権保護情報が含まれているか否かを判別し、著作権保護情報が含まれていると判別された場合に、著作権保護情報から著作物を識別するための識別情報を抽出し、著作権管理サーバに抽出した識別情報を送信して、著作権料情報の送信をサーバに要求し、要求に応じたサーバから受信した著作権料情報を表示して、ユーザに著作権料を請求し、ユーザが著作権料の請求に応じたか否かを判別し、ユーザが著作権料の請求に応じたと判別された場合に、記憶した画像データ中に著作権料を支払済であることを証明する支払済情報を付加し、支払済情報が付加された画像データを記録紙に印刷することとしたので、著作権者は、著作権料を利用者から確実に徴収することができ、また、利用者は、適正な著作権料を支払って、複写を行ったことを他者に証明することができる。
【００１３】
また、請求項２にかかる画像形成装置によれば、原稿から画像データを読み取り、読み取った画像データを記憶し、画像データに著作権保護情報が含まれているか否かを判別し、著作権保護情報が含まれていると判別された場合に、著作権保護情報から著作物を識別するための識別情報を抽出し、著作権管理サーバに抽出した識別情報を送信して、著作権料情報の送信をサーバに要求し、要求に応じたサーバから受信した著作権料情報を表示して、ユーザに著作権料を請求し、ユーザが著作権料の請求に応じたか否かを判別し、ユーザが著作権料の請求に応じたと判別された場合に、記憶した画像データ中に著作権料を支払済であることを証明する支払済情報を付加し、支払済情報が付加された画像データを記録紙に印刷することとしたので、著作権者は、著作権料を利用者から確実に徴収することができ、また、利用者は、適正な著作権料を支払って、複写を行ったことを証明することができる。
【００１４】
また、請求項３にかかる画像形成方法によれば、原稿から画像データを読み取り、読み取った画像データを記憶し、画像データに著作権保護情報が含まれているか否かを判別し、著作権保護情報が含まれていると判別された場合に、著作権保護情報から著作物を識別するための識別情報を抽出し、著作権管理サーバに抽出した識別情報を送信して、著作権料情報の送信をサーバに要求し、要求に応じたサーバから受信した著作権料情報を表示して、ユーザに著作権料を請求し、ユーザが著作権料の請求に応じたか否かを判別し、ユーザが著作権料の請求に応じたと判別された場合に、記憶した画像データ中に著作権料を支払済であることを証明する支払済情報を付加し、支払済情報が付加された画像データを記録紙に印刷することとしたので、著作権者は、著作権料を利用者から確実に徴収することができ、また、利用者は、適正な著作権料を支払って、複写を行ったことを証明することができる。
【００１５】
また、請求項４にかかるコンピュータ読み取り可能な制御プログラムによれば、原稿から画像データを読み取る工程と、読み取った画像データを記憶する工程と、前記画像データに著作権保護情報が含まれているか否かを判別する工程と、著作権保護情報が含まれていると判別された場合に、著作権保護情報から著作物を識別するための識別情報を抽出する工程と、著作権管理サーバに抽出した識別情報を送信して、著作権料情報の送信をサーバに要求する工程と、前記要求に応じたサーバから受信した著作権料情報を表示して、ユーザに著作権料を請求する工程と、ユーザが著作権料の請求に応じたか否かを判別する工程と、ユーザが著作権料の請求に応じたと判別された場合に、記憶した画像データ中に著作権料を支払済であることを証明する支払済情報を付加する工程と、支払済情報が付加された画像データを記録紙に印刷する工程と、をコンピュータに実行させるためのプログラムコードから成ることとしたので、著作権者は、著作権料を利用者から確実に徴収することができ、また、利用者は、適正な著作権料を支払って、複写を行ったことを証明することができる。
【発明を実施するための最良の形態】
【００１６】
以下、本発明の一実施の形態について、図面を参照して詳細に説明する。
【００１７】
図１は、本発明の一実施形態に係る著作物の複写システムを示すブロック図である。図に示すように、本システムは、画像形成装置１００と著作権管理サーバ１０１と料金徴収装置１０２から成る。
【００１８】
図において、２００はリーダ部（リーダ装置又は画像入力装置）で、原稿画像を光学的に読み取り、画像データに変換する。このリーダ部２００は、原稿を読み取るための機能を持つスキャナユニット２１０と、原稿用紙を搬送するための機能を持つ原稿給紙ユニット２５０とで構成される。
【００１９】
３００はプリンタ部（プリンタ装置又は画像出力装置）で、記録紙を搬送し、その上に画像データを可視画像として印字して装置外に排紙する。このプリンタ部３００は、複数種類の記録紙カセットを持つ給紙ユニット３６０と、画像データを記録紙に転写、定着させる機能を持つマーキングユニット３１０と、印字された記録紙をソート、ステイプルして機外へ出力する機能を持つ排紙ユニット３７０とで構成される。
【００２０】
１１０は制御部で、リーダ部２００、プリンタ部３００、料金徴収装置１０２と電気的に接続され、さらにネットワーク４００を介して、著作権管理サーバ１０１と接続されている。
【００２１】
制御部１１０は、リーダ部２００を制御して、原稿の画像データを読込み、プリンタ部３００を制御して画像データを記録紙に出力して複写機能を提供する。また、制御部１１０は、ネットワーク４００を介して、著作権管理サーバ１０１と著作権情報の送受信を行う。さらに、制御部１１０は、料金徴収装置１０２を制御して、金額情報の送受信を行う。
【００２２】
１５０は操作部で、制御部１１０に接続され、液晶タッチパネルで構成され、画像形成装置１００を操作するためのユーザＩ／Ｆを提供する。
【００２３】
１０１は著作権管理サーバで、著作物を特定するための情報（以下、著作物ＩＤという）と、その著作物の著作権料とを対応づけて記憶している。著作権管理サーバ１０１は、画像形成装置１００から著作物ＩＤを受信すると、受信した著作物ＩＤに対応する著作権料を読み出して、画像形成装置１００に送信する。
【００２４】
１０２は料金徴収装置で、硬貨を投入するための硬貨投入口（図示せず）、オペレータが投入した硬貨の返却を求めるための返却ボタン（図示せず）、投入された硬貨の総額に対してお釣りがあった場合や、返却ボタンが押下された場合に硬貨を返却する硬貨返却口（図示せず）、および投入された硬貨の総額を表示する表示部（図示せず）を備え、画像形成装置１００において受け付けた印刷指示に対して利用者から料金を徴収する。
【００２５】
図２は、図１に示したリーダ部２００及びプリンタ部３００の構成を示す断面図である。
【００２６】
リーダ部２００において、２５０は原稿給紙ユニットで、原稿を先頭順に１枚ずつプラテンガラス２１１上へ給送し、原稿の読み取り動作終了後、プラテンガラス２１１上の原稿を排出するものである。原稿がプラテンガラス２１１上に搬送されると、ランプ２１２を点灯し、そしてモータ２１９による光学ユニット２１３，２２１の移動を開始させて、原稿を露光走査する。この時の原稿からの反射光は、ミラー２１４、２１５、２１６及びレンズ２１７によってＣＣＤイメージセンサ（以下、ＣＣＤという）２１８へ導かれる。このように、走査された原稿の画像はＣＣＤ２１８によって読み取られる。ＣＣＤ２１８から出力される画像データは、所定の処理が施された後、制御部１１０へ転送される。２２２は画像処理回路部であり、読み取られた画像情報を電気信号として処理し、プリント信号として出力するところである。
【００２７】
プリンタ部３００において、３１７はレーザドライバで、レーザ発光部３１３、３１４、３１５、３１６を駆動するものであり、制御部１１０から出力された画像データに応じたレーザ光をレーザ発光部３１３、３１４、３１５、３１６を発光させて出力させる。このレーザ光は、ミラー３４０、３４１、３４２、３４３、３４４、３４５、３４６、３４７、３４８、３４９、３５０、３５１によって感光ドラム３２５、３２６、３２７、３２８に照射され、感光ドラム３２５、３２６、３２７、３２８にはレーザ光に応じた潜像が形成される。３２１、３２２、３２３、３２４は、それぞれブラック（Ｂｋ）、イエロー（Ｙ）、シアン（Ｃ）、マゼンダ（Ｍ）のトナーによって潜像を現像するための現像器であり、現像された各色のトナーは、用紙に転写されフルカラーのプリントアウトがなされる。用紙カセット３６０、３６１及び手差しトレイ３６２のいずれかより給紙された用紙は、レジストローラ３３３を経て、転写ベルト３３４上に吸着され、搬送される。そして、レーザ光の照射開始と同期したタイミングで、カセット３６０及びカセット３６１のいずれかから記録紙を給紙して転写ベルト３３４へ搬送し、感光ドラム３２５、３２６、３２７、３２８に付着された現像剤を記録紙に転写する。現像剤の乗った記録紙は定着部３３５に搬送され、定着部３３５の熱と圧力により現像剤は記録紙に定着される。定着部３３５を通過した記録紙は、排出ローラ３３６によって排出され、排紙ユニット３７０は排出された記録紙を束ねて記録紙の仕分けを行い、更には仕分けされた記録紙のステイプルを行い、排出トレイ３７１に排出する。
【００２８】
また、両面記録が設定されている場合は、排出ローラ３３６のところまで記録紙を搬送した後、排出ローラ３３６の回転方向を逆転させ、フラッパ３３７によって再給紙搬送路３３８へ導く。再給紙搬送路３３８へ導かれた記録紙は上述したタイミングで転写ベルト３３４へ給紙される。
【００２９】
図３は、図１に示した制御部１１０の構成を示すブロック図である。
【００３０】
図において、１１１はメインコントローラで、主にＣＰＵ１１２と、バスコントローラ１１３、各種Ｉ／Ｆコントローラ回路とから構成される。
【００３１】
ＣＰＵ１１２とバスコントローラ１１３は、制御部１１０全体の動作を制御するものであり、ＣＰＵ１１２は、ＲＯＭ１１４からＲＯＭＩ／Ｆ１１５を経由して読込んだプログラムに基づいて動作する。バスコントローラ１１３は、各Ｉ／Ｆから入出力されるデータ転送を制御するものであり、バス競合時の調停やＤＭＡデータ転送の制御を行う。
【００３２】
ＲＯＭ１１４は、ブートＲＯＭを有し、システムのブートプログラムを格納している。
【００３３】
ＤＲＡＭ１１６は、ＤＲＡＭＩ／Ｆ１１７によってメインコントローラ１１１と接続されており、ＣＰＵ１１２が動作するためのワークエリアや、画像データを蓄積するためのエリアや、図１に示した料金徴収装置１０２への投入金額、図１に示した著作権管理サーバ１０１へ送信する著作物ＩＤ、著作権管理サーバ１０１から受信した著作権料等に関する情報を蓄積するためのエリアとして使用される。
【００３４】
Ｃｏｄｅｃ１１８は、ＤＲＡＭ１１６に蓄積されたラスタイメージデータをＭＨ７ＭＲ／ＭＭＲ／ＪＢＩＧ／ＪＰＥＧ等の方式で圧縮し、また逆に圧縮され蓄積されたコードデータをラスタイメージデータに伸長する。ＳＲＡＭ１１９はＣｏｄｅｃ１１８の一時的なワーク領域として使用される。Ｃｏｄｅｃ１１８はＩ／Ｆ１２０を介してメインコントローラ１１１と接続され、ＤＲＡＭ１１６との間のデータの転送は、バスコントローラ１１３によって制御されＤＭＡ転送される。
【００３５】
画像解析部１３８は、ＤＲＡＭ１１６に蓄積された画像データから著作権保護情報を検出し、その解析を行う。
【００３６】
本実施形態では、著作権保護情報は、イメージや記号等の可視像であってもよいし、あるいは電子透かし技術を用いて画像データに著作権保護情報が付加されていたりしてもよいが、著作物を特定できる著作物ＩＤを必ず含むように構成されている。例えば、図４の原稿画像を読み込んだときに記述されている著作権保護情報が図５のようにバーコードによって記述されており、そのデータとして、著作物ＩＤが含まれている。
【００３７】
図３において、ＣＰＵ１１２は、画像解析部１３８で画像データから著作権保護情報を検出できない場合には、通常の複写モードを実行する一方、著作権保護情報を検出した場合には、著作権保護情報から著作物ＩＤを抽出して、ＤＲＡＭに格納する。
【００３８】
ＳＲＡＭ１５１は、画像解析部１３８の一時的なワーク領域として使用される。画像解析部１３８は、Ｉ／Ｆ１３９を介してメインコントローラ１１１と接続され、ＤＲＡＭ１１６との間のデータの転送は、バスコントローラ１１３によって制御されＤＭＡ転送される。
【００３９】
画像処理部１３５は、ＤＲＡＭ１１６に蓄積されたラスタイメージデータに対して、画像回転、画像変倍、色空間変換、二値化の処理をそれぞれ行う。
【００４０】
本実施形態では、利用者が適正な著作権料を支払ったことを証明する支払済情報を記録紙に付加するように構成している。このため、画像処理部１３５では、ＣＰＵ１１２からの指示により、ＤＲＡＭ１１６に蓄積された画像データと支払済情報とを合成する合成処理を行う。支払済情報としては、他者が一目で認識できるイメージが好ましい。また、記録紙の画像部に付加してもよいが、記録紙の縁部（端部）、特に非画像部に付加することが好ましい。例えば、図６のように「著作権料支払済」などのイメージがプリント画像の端部に付加される。
【００４１】
ＳＲＡＭ１３６は、画像処理部１３５の一時的なワーク領域として使用される。画像処理部１３５は、Ｉ／Ｆ１３７を介してメインコントローラ１１１と接続され、ＤＲＡＭ１１６との間のデータの転送は、バスコントローラ１１３によって制御されＤＭＡ転送される。
【００４２】
ネットワークコントローラ（Ｎｅｔｗｏｒｋ  Ｃｏｎｔｏｒｌｌｅｒ）１２１は、Ｉ／Ｆ１２３によってメインコントローラ１１１と接続され、コネクタ１２２によって外部ネットワークと接続される。ネットワークとしては一般的にイーサネット（登録商標）があげられるが、トークンリング等その他のネットワークでもよい。
【００４３】
汎用高速バス１２５には、拡張ボードを接続するための拡張コネクタ１２４とＩ／Ｏ制御部１２６とが接続される。汎用高速バスとしては、一般的にＰＣＩバスが挙げられる。
【００４４】
Ｉ／Ｏ制御部１２６には、リーダ部２００、プリンタ部３００の各ＣＰＵと制御コマンドを送受信するための調歩同期シリアル通信コントローラ１２７が２チャンネル装備されており、Ｉ／Ｏバス１２８によって外部Ｉ／Ｆ回路１４０，１４５に接続されている。
【００４５】
パネルＩ／Ｆ１３２は、ＬＣＤコントローラ１３１に接続され、操作部１５０上の液晶画面に表示を行うためのＩ／Ｆと、ハードキーやタッチパネルキーの入力を行うためのキー入力Ｉ／Ｆ１３０とから構成される。
【００４６】
図１に示した操作部１５０は、液晶表示部と液晶表示部上に張り付けられたタッチパネル入力装置と、複数個のハードキーを有する。タッチパネルまたはハードキーにより入力された信号は前述したパネルＩ／Ｆ１３２を介してＣＰＵ１１２に伝えられ、液晶表示部はパネルＩ／Ｆ１３２から送られてきた画像データを表示するものである。液晶表示部には、画像形成装置１００の操作における機能表示や画像データ等を表示する。
【００４７】
リアルタイムクロックモジュール１３３は、機器内で管理する日付と時刻を更新／保存するためのもので、バックアップ用電池１３４によってバックアップされている。
【００４８】
Ｅ−ＩＤＥインタフェース１６１は、外部記憶装置を接続するためのものである。本実施形態においては、このＩ／Ｆを介してハードディスクドライブ１６０を接続し、ハードディスク１６２へ画像データを記憶させたり、ハードディスク１６２から画像データを読み込む動作を行う。
【００４９】
コネクタ１４２と１４７は、それぞれ図１に示したリーダ部２００とプリンタ部３００とに接続され、同調歩同期シリアルＩ／Ｆ（１４３，１４８）とビデオＩ／Ｆ（１４４，１４９）とを有する。コネクタ２６１は、図１に示した料金徴収装置１０２に接続される。
【００５０】
スキャナＩ／Ｆ１４０は、コネクタ１４２を介して図１に示したリーダ部２００と接続され、また、スキャナバス１４１によってメインコントローラ１１１と接続されており、リーダ部２００から受け取った画像に対して所定の処理を施す機能を有し、さらに、リーダ部２００から送られたビデオ制御信号をもとに生成した制御信号を、スキャナバス１４１に出力する機能も有する。スキヤナバス１４１からＤＲＡＭ１１６へのデータ転送は、バスコントローラ１１３によって制御される。
【００５１】
プリンタＩ／Ｆ１４５は、コネクタ１４７を介して図１に示したプリンタ部３００と接続され、また、プリンタバス１４６によってメインコントローラ１１１と接続されており、メインコントローラ１１１から出力された画像データをプリンタ部３００へ出力する機能を有し、さらに、プリンタ部３００から送られたビデオ制御信号をもとに生成した制御信号を、プリンタバス１４６に出力する機能も有する。
【００５２】
ＤＲＡＭ１１６上に展開されたラスタイメージデータのプリンタ部への転送は、バスコントローラ１１３によって制御され、プリンタバス１４６、ビデオＩ／Ｆ１４９を経由して、プリンタ部３００へＤＭＡ転送される。
【００５３】
図７は、図１に示した操作部１５０のキー配列を示す平面図である。
【００５４】
５０７はスタートキーで、複写の開始や中断された複写動作の再開を指示するときに用いるキーである。５０８はストップキーで、複写を中断したり、中止したりするときに用いるキーである。５１３はテンキーで、数値の入力を行うときに使用する。５１４はクリアキーで、数値をクリアするときに用いる。５１５はＩＤキーで、画像形成装置１００を使用する場合にＩＤの入力モードに移行するときに使用する。５１６は液晶画面とタッチセンサの組合せからなるＬＣＤタッチパネルで、描画されたキーに触れることで、各種の詳細な設定を行うことが可能である。また、各々のジョブの動作状況表示なども行う。５１７はネットワークの通信状態を示すタリーランプであり、通常緑色で、通信しているときは緑色で点減し、ネットワークエラーの場合には赤色になる。５１８はＡＣＳ（オートカラーセレクト）キーで、原稿がカラーか白黒かを自動的に判別し、カラーならばカラーで、白黒ならば黒単色でスキャンするモードを設定する場合に使用する。５１９はフルカラーモードキーで、原稿に関わらずフルカラーでスキャンするモードを設定する場合に使用する。５２０はブラックモードキーで、原稿に関わらず黒単色でスキャンするモードを設定する場合に使用する。これら各キー５１８〜５２０はトグル動作し、必ずどれか一つが選択されており、選択されているキーが点灯している。
【００５５】
図８は、著作権料請求画面の一例を示した模式図であり、著作権管理サーバ１０１から著作権料情報を受信した場合に、図７に示したＬＣＤタッチパネル５１６に表示される。
【００５６】
図８において、著作権料請求画面６０１では、「印刷対象の原稿は著作権保護の対象物です。印刷する場合は別途著作権料が５０円かかります。」というメッセージと、ＯＫキー６０２とキャンセルキー６０３が表示されている。利用者は、ＯＫキー６０２かキャンセルキー６０３のいずれかを押下して、後の動作を選択する。
【００５７】
以下、図９を参照して、画像形成装置１００で著作物の印刷を行う場合の動作について説明する。図９は、図１で示した著作物の複写システムの動作例を説明するためのフローチャートである。
【００５８】
本システムの利用者は、まず、原稿を図２に示した原稿給紙ユニット２５０に載置して、図１に示した料金徴収装置１０２に料金を投入した後、図７に示した操作部１５０のスタートキー５０７を押下して、複写動作を開始する。
【００５９】
まず、図９において、画像形成装置１００では、図１に示したスキャナユニット２１０で原稿の画像データを読み取り（Ｓ９０１）、読み取った画像データを図３に示したＤＲＡＭ１１６に記憶する（Ｓ９０２）。次に、制御部１１０は、図３に示した画像解析部１３８で画像データを解析し、図５で示したバーコード等の著作権保護情報が含まれているか否かを判別する（Ｓ９０３）。画像データに著作権保護情報が含まれていないと判断された場合には、ステップＳ９１５に進み、図１に示したマーキングユニット３１０で給紙ユニット３６０から給紙した記録紙に印刷を行い、通常の複写モードの処理を終了する。一方、画像データに著作権保護情報が含まれていると判断された場合には、制御部１１０は、画像解析部１３８で著作権保護情報から著作物ＩＤを抽出し（Ｓ９０４）、図１で示した著作権管理サーバ１０１にネットワーク４００を介して、著作物ＩＤを送信する（Ｓ９０５）。
【００６０】
著作権管理サーバ１０１では、画像形成装置１００から著作物ＩＤを受信すると（Ｓ９０６）、著作物ＩＤに対応する著作権料の検索を開始する（Ｓ９０７）。著作権管理サーバ１０１は、著作権料の検索が終了すると、画像形成装置１００にネットワーク４００を介して、著作権料情報を送信する（Ｓ９０８）。
【００６１】
画像形成装置１００では、著作権管理サーバ１０１から著作権料情報を受信すると（Ｓ９０９）、図７に示したＬＣＤタッチパネル５１６に、図８で示した著作権料請求画面６０１を表示させ（Ｓ９１０）、利用者に著作権料を請求する。ここで、利用者が著作権料請求画面６０１のＮＧキー６０３を押下した場合、利用者は著作権料の請求に応じないと判断し、処理を終了する。一方、著作権料請求画面６０１のＯＫキー６０２を押下した場合、利用者が請求に応じたと判断し、料金徴収装置１０２から現在投入されている料金情報を取得する（Ｓ９１２）。次に、制御部１１０は、料金が不足しているか否かを判別し（Ｓ９１１）、不足していると判断された場合には、ステップＳ９１２の処理に戻る。一方、料金が不足していないと判断された場合には、図３に示した画像処理部１３５で、ＤＲＡＭ１１６に格納された画像データと支払済情報を合成し（Ｓ９１４）、合成した画像データをＤＲＡＭ１１６に記憶する。そして、マーキングユニット３１０で給紙ユニット３６０から給紙した記録紙に印刷を行い、著作物の複写モードの処理を終了する。
【００６２】
以上説明したように、本実施形態によれば、画像形成装置において、原稿から画像データを読み取り、読み取った画像データを記憶し、画像データに著作権保護情報が含まれているか否かを判別し、著作権保護情報が含まれていると判別された場合に、著作権保護情報から著作物ＩＤを抽出し、著作権管理サーバに著作物ＩＤを送信して、著作権料情報の送信をサーバに要求し、要求に応じたサーバから受信した著作権料情報を表示して、利用者に著作権料を請求し、利用者が著作権料の請求に応じたか否かを判別し、利用者が著作権料の請求に応じたと判別された場合に、記憶した画像データ中に著作権料を支払済であることを証明する支払済情報を付加して、支払済情報を付加された画像データを記録紙に印刷することとしたので、著作権者は、著作権料を利用者から確実に徴収することができ、また、利用者は、適正な著作権料を支払って、複写を行ったことを他者に証明することができる。
【図面の簡単な説明】
【００６３】
【図１】本発明の一実施形態に係る著作物の複写システムを示すブロック図である。
【図２】図１に示したリーダ部及びプリンタ部の構成を示す断面図である。
【図３】図１に示した制御部の構成を示すブロック図である。
【図４】本発明の一実施形態で扱う原稿画像の一例を示す図である。
【図５】図４のバーコードの一例を示す図である。
【図６】本発明の一実施形態で扱うプリント画像の一例を示す図である。
【図７】図１に示した操作部のキー配列を示す平面図である。
【図８】著作権料請求画面の一例を示した模式図である。
【図９】本発明の一実施形態に係る著作物の複写システムの動作を説明するためのフローチャートである。
【図１】
2006166334.tif 000003
【図２】
2006166334.tif 000004
【図３】
2006166334.tif 000005
【図４】
2006166334.tif 000006
【図５】
2006166334.tif 000007
【図６】
2006166334.tif 000008
【図７】
2006166334.tif 000009
【図８】
2006166334.tif 000010
【図９】
2006166334.tif 000011